(57)【要約】      （修正有）【課題】通常のステープラのように綴り針で綴じることができ、綴じられた被綴り材は綴じ代がなく、字などが隠れることがなく見やすい綴り針形成機構。【解決手段】二つの脚部とその連結部とからなる綴り針が打ち出し機構により打ち出され針受け座c-1によりその脚部が折り曲げられることにより被綴じ込み材を綴じるステープラにおいて、ステープラを上記綴り針の一方の脚部だけが被綴じ込み材を貫通するようにし、そして綴り針全体が上記打ち出し機構及び上記針受け座により円又は多角形の環状を形成するようにした。【選択図】図１
2014065090.tif 000002
【特許請求の範囲】
【請求項１】
二つの脚部とその連結部とからなる綴り針が打ち出し機構により打ち出され針受け座c-1によりその脚部が折り曲げられることにより被綴じ込み材を綴じるステープラにおいて、ステープラを上記綴り針の一方の脚部だけが被綴じ込み材を貫通するようにし、そして綴り針全体が上記打ち出し機構及び上記針受け座により円又は多角形の環状d-1-1,d-2-1,d-3-1,d-4-1を形成するようにしたことを特徴とする綴り針形成機構。
【請求項２】
請求項１の打ち出し機構は綴り針収納部Bを備え、そこから綴り針を一個ずつ繰り出すためのドライバーaにおいて、そのドライバー先端の押し込み板a-1、a-2は綴り針の連結部の形状に沿う形状とし、このドライバーで綴り針を打ち出すにあって連結部の形状を保ったまま繰り出すことができる。
【請求項３】
請求項１の針受け座において、その針受け座は綴り針の下方に臨ませてその両側脚部を屈曲案内する針屈曲用ガイド溝c-2を設け、ドライバーの操作により綴り針の両側脚部がその屈曲用ガイド溝に沿って円又は多角形の環状の一部となるべく形成される。
【発明の詳細な説明】
【技術分野】
【０００１】
本発明は、ステープラの綴じ針を繰り出して被綴じ材に通し綴じ込む際に、綴じ針の一方の脚部のみを被綴じ材に貫通させ、そして綴じ針全体を円又は多角形の環状に形成するステープラに関するものである。
【背景技術】
【０００２】
複数の用紙を綴じる手段としてステープルが一般的で、コ字状の綴じ針を被綴じ材に貫通させ先端を内側に曲げて綴じているが、これは見開き部分が見えにくいという欠点がある。（特許文献１，２）
また、ファイリング用の穴を設けた用紙にバインド部材を形成するバインド装置があるが、これは前もってファイリング用の穴を用紙に形成しておく必要がある。（特許文献３）
【先行技術文献】
【特許文献】
【０００３】
【特許文献１】特開昭６３−３３１３７
【特許文献２】特開平６−１７３９１７
【特許文献３】特開平１１−２０３６２
【発明の概要】
【発明が解決しようとする課題】
【０００４】
従来、被綴じ材を綴じ込むにはステープラを使用し、コ字状の綴じ針を繰り出して被綴じ材に通して先端を内側に曲げて綴じ込めているが、この方法では被綴り材に綴り代ができ、その部分の文字などの情報を見ることができない。
また、穴のあいたリーフなどの被綴り材を綴じ込むには穴の数や穴の位置が合ったリングファイルを使用するか、カードリングを使用しなければ綴じ込むことができない。  
【課題を解決するための手段】
【０００５】
本発明は、従来のステープラやリングの代わりに二つの脚部とその連結部とからなる綴り針を一方の脚部のみを被綴り材に貫通させ、全体を円又は多角形の環状に加工して被綴り材を綴じる機器と綴り針を提供することにより、被綴り材の穴の有無にかかわらず被綴じ材を穴のあいたリーフを使用するように綴じ込むことを特徴とする。
【発明を実施するための形態】
【０００６】
図１は本考案の全体の斜視図である。
Aはハンドル部であり、ステープラの針を繰り出すためのドライバーaと一体となっている。
Bは針収納部であり綴り針の連針b-1,b-2,b-3のストックと供給及び、繰り出し動作での外れ規制の役目を果たす。
Cは基台部であり、その先端に両脚部を受ける針受け座c-1と針屈曲用ガイド部c-2を持つ。針屈曲用ガイド部c-2は窪みとなっている。
【０００７】
図２は綴り針の連結部に沿う形状の窪みを持つドライバーの押し込み板で、a-1  半円状の窪みを持つ押し込み板、a-2  多角形の二辺の形状の窪みを持つ押し込み板となっている。
図３は直線又は盛り上がった連結部を持ち直線状の脚部を持つ綴じ針の連針で、b-1  半円状の連結部を持つ連針、b-2  多角形の二辺の形状の連結部を持つ連針、b-3  直線状の連結部を持つ連針を示す。
【０００８】
ハンドル部Aを押し込むことにより、ドライバーａは針収納部Ｂ内の綴じ針ｂ‐1を針受け座ｃ‐1に向かって押し出す。
【０００９】
図４、５は基台部Cの先端の実施例で、c-1  針受け座、c-2  針屈曲用ガイド溝を示す。
半円状の針屈曲用ガイド溝c-2-1、及び多角形の二辺の針屈曲用ガイド溝c-2-2の立面図
である。図１では針屈曲用ガイド部c-2は窪みであったが、第２の実施例として溝形状とし、狙った屈曲形状がより確実にできるようにした。
【００１０】
ドライバーａにより押し込まれた綴り針b-1は連結部を変形されることなくガイド溝に入り、両脚部はその溝形状c-2-1、c-2-2に合わせて屈曲される。その結果、図６に示されるように、種々の綴り針の形状と溝形状に応じて円形、４角形、などの最終形状となり、被綴り材を見開きできる。綴り針一本の打ち出し前の形状と打ち出し後の形状を対比する。
d-1    半円状の連結部を持つ綴り針の打ち出し前の形状
d-1-1  同打ち出し後の円形状
d-2   山形の連結部を持つ綴り針の打ち出し前の形状
d-2-1  同打ち出し後の４角形状
d-3    直線状の連結部を持つ綴り針の打ち出し前の形状
d-3-1  同打ち出し後の３角形状
d-4   山形の連結部を持つ綴り針の打ち出し前の形状
d-4-1  同打ち出し後の６角形状
【００１１】
図７、図８は本発明のステープラで綴り針を第６図のd-2、d-2-1に相当する４角形状として被綴り部材ｅを綴じている状態を示し、綴り針脚部の片方のみを被綴り材にかかるようにセットしてハンドル部Ａを押し下げることにより、簡単に綴じられる。
図９は被綴り材を２枚重ねて綴った状態とそれを開いた状態である。
【００１２】
以上からわかるように、従来のステープラを使用するように複数枚の被綴り材を簡単に綴じることができ、そして綴じ代がないので内側の字などの情報を容易に見ることができる。もちろん、被綴じ材の穴を事前に設けてリングファイルあるいはカードリングを用意する必要もないので、手軽に被綴り材を適宜に綴じ込むことができる。
【図面の簡単な説明】
【００１３】
【図１】本考案の全体の斜視図である
【図２】綴り針の連結部に沿う形状の窪みを持つドライバーの押し込み板a-1  半円状の窪みを持つ押し込み板a-2  多角形の二辺の形状の窪みを持つ押し込み板
【図３】直線又は盛り上がった連結部を持ち直線状の脚部を持つ綴じ針の連針b-1  半円状の連結部を持つ連針b-2  多角形の二辺の形状の連結部を持つ連針b-3  直線状の連結部を持つ連針
【図４】基台部（Ｃ）の先端の平面図c-1  針受け座c-2  針屈曲用ガイド溝
【図５】基台部（Ｃ）の先端の他の実施例で、図１の針屈曲用ガイド部を溝形状とし、屈曲がより確実にできるようにした。c-2-1  半円状の針屈曲用ガイド溝立面図c-2-2  多角形の二辺状の針屈曲用ガイド溝立面図c-2-3  針屈曲用ガイド溝側面図
【図６】綴り針の打ち出し前の形状と打ち出し後の形状d-1    半円状の連結部を持つ綴り針の打ち出し前の形状d-1-1  同打ち出し後の円形状d-2    山形の連結部を持つ綴り針の打ち出し前の形状d-2-1  同打ち出し後の４角形状d-3    直線状の連結部を持つ綴り針の打ち出し前の形状d-3-1  同打ち出し後の３角形状d-4    山形の連結部を持つ綴り針の打ち出し前の形状d-4-1  同打ち出し後の６角形状
【図７】図６、d-2の場合の断面図
【図８】図６、d-2-1の場合の断面図
【図９】被綴り材を２枚重ねて針クリンチし、被綴り材を開いた状態の使用例斜視図
【符号の説明】
【００１４】
A  ハンドル部
a  ドライバー
B  針収納部
C  基台部
c-1針受け座
c-2  針屈曲ガイド溝
e  被綴り材
【図１】
2014065090.tif 000003
【図２】
2014065090.tif 000004
【図３】
2014065090.tif 000005
【図４】
2014065090.tif 000006
【図５】
2014065090.tif 000007
【図６】
2014065090.tif 000008
【図７】
2014065090.tif 000009
【図８】
2014065090.tif 000010
【図９】
2014065090.tif 000011